(57)【要約】【課題】  低コストで高安定であり２波長以上を同時に増幅するＥＤＦＡを用いた光増幅器を提供する。【解決手段】  波長分割多重された光信号Ｌａ、Ｌｂを分波する波長バンドフィルタ４ａと、励起光Ｌｅを発光する励起光源１０と、励起光源１０からの励起光Ｌｅを分配する分配カプラ１１と、分配カプラ１１から分配された励起光Ｌｅａ、Ｌｅｂを波長バンドフィルタ４ａにて分波されたそれぞれの光信号Ｌａ、Ｌｂに重畳するための複数のＷＤＭ５ａ、５ｂと、これらＷＤＭ５ａ、５ｂより出力される光信号をそれぞれ励起光Ｌｅａ、Ｌｅｂにより増幅するための増幅媒体６ａ、６ｂと、これら増幅媒体６ａ、６ｂにて増幅された光信号を合波する合波器４ｃとを備えた光増幅器１である。【選択図】  図１
2006012979.tif 000002
【特許請求の範囲】
【請求項１】
波長分割多重された光信号を分波する波長バンドフィルタと、励起光を発光する励起光源と、該励起光源からの励起光を分配する分配カプラと、該分配カプラから分配された励起光を上記波長バンドフィルタにて分波されたそれぞれの光信号に重畳するための複数のＷＤＭと、これらＷＤＭより出力される光信号をそれぞれ上記励起光により増幅するための増幅媒体と、これら増幅媒体にて増幅された光信号を合波する合波器とを備えたことを特徴とする光増幅器。
【請求項２】
上記光信号は、波長が１５５０ｎｍの光信号と、波長が１５３０ｎｍの光信号とからなる請求項１記載の光増幅器。
【請求項３】
上記励起光源は、波長が９８０ｎｍである励起光若しくは波長が１４８０ｎｍである励起光を発光する請求項１または２記載の光増幅器。
【請求項４】
上記増幅媒体のぞれぞれの出力をモニタするフォトダイオードを備えた請求項１〜３いずれか記載の光増幅器。
【発明の詳細な説明】
【技術分野】
【０００１】
本発明は、波長分割多重された光信号を励起光で増幅する光増幅器に関するものである。
【背景技術】
【０００２】
従来光通信では、伝送路の伝送容量を増大させるため光信号を波長分割多重（ＷＤＭ：Wavelength Division Multiplexing）して伝送する方法がある。
【０００３】
この光信号の伝送において、光増幅を行うことによりその伝送距離を伸ばすことが一般的に行われている。
【０００４】
従来技術の光増幅器を図３に示す。
【０００５】
異なる波長の光信号を送信する光送信器２ａ、２ｂの光信号出力は、ＷＤＭ３ａにより波長分割多重されて伝送される。伝送された多重化光信号は、光中継器などにおいて光増幅器３１により増幅される。すなわち、光増幅器３１に入力された多重化光信号は、ＷＤＭ５ｃにより励起光源１０から発した励起光を重畳され、重畳された励起光をエネルギー源として入力された各々の波長の光信号は、増幅媒体６ｃにより同時に増幅される。同じ増幅媒体６ｃにより増幅された各々の波長の光信号は、カプラ７ｃを経由して出力される。
【０００６】
カプラ７ｃから分岐された光信号の一部は、フォトダイオード８ｃにより光信号のレベルが検出され、モニタされる。光増幅器３１により増幅された光信号は伝送され、伝送された光信号はＷＤＭ３ｃにより分波されて各光受信器９ａ、９ｂにより受信される。
【０００７】
なお、この出願の発明に関連する先行技術文献情報としては、次のものが開示されている。
【０００８】
【特許文献１】特開平７−１４０４２２号公報
【特許文献２】特開平１１−１１２４３４号公報
【発明の開示】
【発明が解決しようとする課題】
【０００９】
しかしながら、従来技術で用いたＥＤＦＡ（Erbium Droped Fiber Amplifier：エルビウム添加ファイバ増幅器）などの稀土類添加ファイバ方式の増幅媒体６ｃは、その有する利得特性に波長依存性があるため、光送信器２ａからの光信号と光送信器２ｂからの光信号とを多重化して同時に増幅する場合、両波長１５３０ｎｍ、１５５０ｎｍの光信号が各々同じ入力パワーであるにもかかわらず、増幅されたパワーが両波長で不均等（図４参照）になってしまうという問題点があった。
【００１０】
また、通信の状況によってある波長の光信号が追加されたり、あるいは何等かの障害などによりいずれかの信号が除去された場合、増幅される各波長信号の相互の影響があるためにその出力変動が著しいという問題点もあった。
【００１１】
この出力不均等を回避するため、単波長ごとに別々の増幅器３１で増幅することが考えられる。両波長で同じ出力を得るための励起光電力がほぼ等しいため、それぞれ別々の増幅媒体６ｃで増幅すれば均等な光出力が得られるが、光増幅器３１の台数が倍になり、コストも倍になってしまうという問題点がある。
【００１２】
そこで、本発明の目的は、低コストで高安定であり２波長以上を同時に増幅するＥＤＦＡを用いた光増幅器を提供することにある。
【課題を解決するための手段】
【００１３】
本発明は上記目的を達成するために創案されたものであり、第１の発明は、波長分割多重された光信号を分波する波長バンドフィルタと、励起光を発光する励起光源と、該励起光源からの励起光を分配する分配カプラと、該分配カプラから分配された励起光を上記波長バンドフィルタにて分波されたそれぞれの光信号に重畳するための複数のＷＤＭと、これらＷＤＭより出力される光信号をそれぞれ上記励起光により増幅するための増幅媒体と、これら増幅媒体にて増幅された光信号を合波する合波器とを備えた光増幅器である。
【００１４】
第２の発明は、上記光信号は、波長が１５５０ｎｍの光信号と、波長が１５３０ｎｍの光信号とからなるものである。
【００１５】
第３の発明は、上記励起光源は、波長が９８０ｎｍである励起光若しくは波長が１４８０ｎｍである励起光を発光するものである。
【００１６】
第４の発明は、上記増幅媒体のぞれぞれの出力をモニタするフォトダイオードを備えたものである。
【発明の効果】
【００１７】
本発明によれば、低コストで高安定であり２波長以上を同時に増幅するＥＤＦＡを用いた光増幅器が得られる。
【発明を実施するための最良の形態】
【００１８】
以下、本発明の好適実施の形態を添付図面にしたがって説明する。
【００１９】
図１は、本発明の好適実施の形態である光増幅器及び接続される周辺機器の構成を示す。
【００２０】
図示したように、光増幅器１は、波長分割多重された光信号Ｌａ、Ｌｂを分波する波長バンドフィルタ４ａと、励起光Ｌｅを発光する励起光源１０と、励起光源１０からの励起光Ｌｅを分配する分配カプラ１１と、分配カプラ１１から分配された励起光Ｌｅａ、Ｌｅｂを波長バンドフィルタ４ａにて分波されたそれぞれの光信号Ｌａ、Ｌｂに重畳するための２つ以上のＷＤＭ５ａ、５ｂと、これらＷＤＭ５ａ、５ｂより出力される光信号をそれぞれ分配された励起光Ｌｅａ、Ｌｅｂにより増幅するための増幅媒体６ａ、６ｂと、これら増幅媒体６ａ、６ｂにて増幅された光信号を合波する合波器４ｃとを備えて構成され、必要に応じて増幅媒体６ａ、６ｂの出力側と合波器４ｃの入力側との間に増幅された光信号を分岐するカプラ７ａ、７ｂと、モニタ用のフォトダイオード８ａ、８ｂとが設けられている。
【００２１】
波長バンドフィルタ４ａは、接続されている後述するＷＤＭ３ａで多重化された２波長の光信号Ｌａ、Ｌｂをフィルタリングし、多重化される前と同様の１波長ごとの光信号Ｌａ、Ｌｂに分波する帯域濾波器である。
【００２２】
ＷＤＭ５ａは、入力された光信号Ｌａと分配された励起光Ｌｅａとの重畳を行う光部品であり、ＷＤＭ５ｂは、入力された光信号Ｌｂと分配された励起光Ｌｅｂとの重畳を行う光部品である。
【００２３】
増幅媒体（ＥＤＦＡ）６ａ、６ｂは、入力された各波長の光信号Ｌａ、Ｌｂを増幅するための波長ごとの光増幅素子である。増幅媒体６ａ、６ｂは、励起光源１０から発せられる励起光Ｌｅによる誘導放出作用を利用する稀土類（エルビウム）が添加された光ファイバ増幅器であり、例えば１５３０ｎｍ、１５５０ｎｍの光信号Ｌａ、Ｌｂを各々増幅する。
【００２４】
カプラ７ａ、７ｂは、増幅媒体６ａ、６ｂで増幅され出力された光信号のレベルをモニタするためにモニタ用の光信号をフォトダイオード８ａ、８ｂに各々分岐するための光分配器である。
【００２５】
フォトダイオード８ａ、８ｂは、カプラ７ａ、７ｂで分岐されたモニタのための光信号によって、増幅媒体６ａ、６ｂで増幅された光信号のレベルをモニタするための光検出器である。フォトダイオード８ａ、８ｂは、増幅媒体６ａ、６ｂの出力ごとに別個に設けてあるが、これは、光増幅器１においてなされる図示しない光出力制御が光出力一定制御（ＡＬＣ）によって行われる場合、波長の追加・除去に対して各波長の増幅の安定性を保つように各々の光信号出力レベルのモニタを個別に行うという理由のためである。
【００２６】
光増幅器１において、アクティブ素子部品の点数を増加させないためには、２波長が重畳された合波器４ｃの出力側にタップを設け、１個のフォトダイオードとの間に別の波長バンドフィルタを更に挿入して再分配し、再分配された各々の光信号の波長をフォトダイオードでモニタすることでもよい。
【００２７】
このような構成は、光増幅器１の安定性維持のため部品点数増加を極力抑える点で有効であり、光増幅器１において利得一定制御（ＡＧＣ）を併せて行う上でも最も望ましい形態である。
【００２８】
励起光源１０は、増幅媒体６ａ、６ｂにて光信号Ｌａ、Ｌｂを光増幅するための励起光Ｌｅを発光する光部品であり、例えばレーザダイオードなどを用いた波長９８０ｎｍ、１４８０ｎｍなどの励起光を単波長発光する素子が代表的であり、増幅媒体６ａ、６ｂの増幅用エネルギー源として一般的に用いられる。
【００２９】
合波器４ｃは、接続されているカプラ７ａ、７ｂからの２波長の光信号をフィルタリングし、同一伝送路内に合波し多重化出力するための帯域濾波器である。
【００３０】
分配カプラ１１は、励起光源１０にて発光された励起光Ｌｅを分配し、ＷＤＭ５ａ、５ｂに入力するための光分配器である。
【００３１】
励起光Ｌｅを分配するための分配カプラ１１は、その電力分配比が可変である。この分配カプラ１１として、熱光学方式の光導波路１×２カプラなどを使用するとよい。
【００３２】
この分配カプラ１１は、電力を印加することにより、ＷＤＭ５ａ、５ｂを介して増幅媒体６ａ、６ｂにそれぞれ入力される分配された励起光Ｌｅａ、Ｌｅｂの強度（電力）の比を調整することができる。波長バンドフィルタ４ａで分波された両波長の光信号Ｌａ、Ｌｂ各々を共に増幅する場合には、励起光Ｌｅａ、Ｌｅｂの強度を両方の増幅媒体６ａ、６ｂにあらかじめ設定した電力分配比でＷＤＭ５ａ、５ｂを介して入力するように分配カプラ１１を調整し、いずれか一方の波長の光信号Ｌａ、Ｌｂのみを増幅する場合には増幅のための励起光Ｌｅａ、Ｌｅｂを必要とする増幅媒体６ａ、６ｂのいずれかのみに入力するように分配カプラ１１を調整するとよい。
【００３３】
この励起光源１０からの励起光は、分配カプラ１１によりあらかじめ設定された分配比で、ＷＤＭ５ａ、５ｂを介してそれぞれ波長１５３０ｎｍ、１５５０ｎｍを増幅するための個別の増幅媒体６ａ、６ｂに供給されるため、分配カプラ１１の分配比を調整することにより増幅媒体６ａ、６ｂに注入する励起光の強度を自在に可変することができる。
【００３４】
当然、増幅媒体６ａ、６ｂのいずれかに光信号が入力されないことが分かっている場合には、分配カプラ１１の分配比の調整により光信号が入力されない方の増幅媒体６ａ、６ｂへの励起光Ｌｅａ、Ｌｅｂの供給を止めることができるし、増幅媒体６ａ、６ｂの両方共光信号が入力されないことが分かっている場合には、励起光源１０から発する励起光Ｌｅの供給を止めることも可能である。
【００３５】
光増幅器１の前後には、光信号Ｌａ、Ｌｂを各々送信する光送信器２ａ、２ｂと、波長分割多重のためのＷＤＭ３ａ、３ｃと、光信号を受信するための光受信器９ａ、９ｂとが接続されている。
【００３６】
光送信器２ａ、２ｂは、光信号により通信を行うための送信器であり、例えば１５３０ｎｍ、１５５０ｎｍの光信号Ｌａ、Ｌｂを送出する。
【００３７】
光受信器９ａ、９ｂは、光送信器２ａ、２ｂから送信された光信号をそれぞれ受信し復調する光通信のための受信器である。
【００３８】
ＷＤＭ３ａは、光送信器２ａ、２ｂから送出された光信号Ｌａ、Ｌｂを多重化し光増幅器１に出力するための光部品であり、ＷＤＭ３ｂは、光増幅器で増幅され多重化された光信号をフィルタリングして、多重化する前の各々の波長の光信号に分割し、分割された各々の光信号を光受信器９ａ、９ｂに出力するための光部品である。
【００３９】
次に、光増幅器１及び周辺機器の接続を図にしたがって説明する。
【００４０】
光送信器２ａ及び光送信器２ｂの出力端子は、各々ＷＤＭ３ａの入力側に接続されている。ＷＤＭ３ａの出力側は、波長バンドフィルタ４ａの入力側に接続されている。波長バンドフィルタ４ａの分波された出力は、各々ＷＤＭ５ａ、５ｂに接続されている。
【００４１】
ＷＤＭ５ａの出力側は、増幅媒体６ａに接続されている。増幅媒体６ａの出力側はカプラ７ａに接続されている。カプラ７ａの出力側は、合波器４ｃに接続されており、カプラ７ａの分岐された出力側はフォトダイオード８ａに接続されている。
【００４２】
ＷＤＭ５ｂの出力側は、増幅媒体６ｂに接続されている。増幅媒体６ｂの出力側はカプラ７ｂに接続されている。カプラ７ｂの出力側は、合波器４ｃに接続されており、カプラ７ｂの分岐された出力側はフォトダイオード８ｂに接続されている。
【００４３】
合波器４ｃの出力側は、ＷＤＭ３ｃに接続されている。ＷＤＭ３ｃの分岐された出力側は、各々光受信器９ａ、９ｂに接続されている。
【００４４】
励起光源１０は、分配カプラ１１に接続されている。分配カプラ１１の分配された出力は、各々ＷＤＭ５ａ、５ｂに接続されている。
【００４５】
フォトダイオード８ａ、８ｂにはそれぞれモニタ用の端子が設けられている。
【００４６】
次に、光増幅器１の作用効果について説明する。
【００４７】
光送信器２ａ、２ｂから各々送信された光信号Ｌａ、Ｌｂは、ＷＤＭ３ａで波長分割多重され出力される。ＷＤＭ３ａから出力された多重化された光信号は、光ファイバにより伝送され、光増幅器１に入力される。
【００４８】
光増幅器１の波長バンドフィルタ４ａに入力された光信号Ｌａ、Ｌｂは波長バンドフィルタ４ａにおいて、ＷＤＭ３ａで多重化される前の光信号Ｌａ、Ｌｂに分波される。分波された光信号Ｌａ、Ｌｂは、各々ＷＤＭ５ａ、５ｂに入力される。
【００４９】
一方、励起光源１０から発せられた励起光Ｌｅは、分配カプラ１１に入力される。分配カプラ１１に入力された励起光Ｌｅは、あらかじめ設定された電力分配比で分配され、分配された励起光Ｌｅａ、Ｌｅｂは各々ＷＤＭ５ａ、５ｂに入力される。
【００５０】
ＷＤＭ５ａに入力された光信号Ｌａと分配カプラ１１により分配された励起光Ｌｅａとは、ＷＤＭ５ａにより重畳されて増幅媒体６ａに出力される。増幅媒体６ａに入力された光信号Ｌａは、同時に入力された励起光Ｌｅａをエネルギー源として誘導放出作用により増幅が行われる。増幅された光信号は、カプラ７ａに出力される。カプラ７ａに入力された光信号は、その一部が増幅された光信号の増幅レベルをモニタするために分岐される。分岐された光信号は、フォトダイオード８ａに入力され、光信号レベルの検出が行われる。カプラ７ａに入力された電力の大部分はそのままカプラ７ａを通過し、合波器４ｃに入力される。
【００５１】
ＷＤＭ５ｂに入力された光信号Ｌｂと分配カプラ１１により分配された励起光Ｌｅｂとは、ＷＤＭ５ｂにより重畳されて増幅媒体６ｂに出力される。増幅媒体６ｂに入力された光信号Ｌｂは、同時に入力された励起光Ｌｅｂをエネルギー源として誘導放出作用により増幅が行われる。増幅された光信号は、カプラ７ｂに出力される。カプラ７ｂに入力された光信号は、その一部が増幅された光信号の増幅レベルをモニタするために分岐される。分岐された光信号は、フォトダイオード８ｂに入力され、光信号レベルの検出が行われる。カプラ７ｂに入力された電力の大部分はそのままカプラ７ｂを通過し、合波器４ｃに入力される。
【００５２】
図１の実施の形態では光信号Ｌａ、Ｌｂは、別々に増幅媒体６ａ、６ｂで増幅されるため、図３に示した２つの光信号を同じ増幅媒体６ｃで増幅していた従来の増幅のような出力の不均等は生じず、波長によらず均等な増幅出力が得られる。
【００５３】
また、光信号Ｌａ、Ｌｂが増幅された際の信号のベースノイズも、図１の実施の形態では別々に増幅媒体６ａ、６ｂで増幅されるため、図３に示した２つの光信号を同じ増幅媒体で増幅していた従来の増幅のようなＳ／Ｎ比（Signal to Noise：信号／雑音比）の不均等は生じず、波長によらずほぼ均等なＳ／Ｎ比を有した増幅出力が得られる。
【００５４】
図４は、従来技術の光増幅器３１の出力を示す。図中横軸は光信号の波長（単位：ｎｍ）を表し、縦軸は信号強度（単位：ｄＢｍ）を表す。
【００５５】
図から分かるように、１５３０ｎｍの出力Ｐは信号強度約−１６ｄＢｍであるのに対して、１５５０ｎｍの出力Ｑは信号強度−５．５５ｄＢｍ（図中、矢印によりTMkr(Peak)マーカーが表示されており、波長は１５５２．５ｎｍと図中左上に表示されている。）と、各波長のレベルが不均等である。また、ベースノイズのレベルも図中Ｒ、Ｓで示すように不均等である。
【００５６】
これに対して図２は、本実施の形態の光増幅器１の出力を示す。図中横軸は光信号の波長（単位：ｎｍ）を表し、縦軸は信号強度（単位：ｄＢｍ）を表す。
【００５７】
図から分かるように、１５３０ｎｍの出力Ｘは信号強度約−６ｄＢｍであるのに対して、１５５０ｎｍの出力Ｙは信号強度−５．８４ｄＢｍ（図中、矢印によりTMkr(Peak)マーカーが表示されており、波長は１５５２．５ｎｍと図中左上に表示されている。）と、各波長のレベルがほぼ均一である。また、ベースノイズのレベルも図中Ｚで示すようにほぼ均等であり、従来技術の問題点が解消されている。
【００５８】
これら増幅媒体６ａ、６ｂの増幅度及びＳ／Ｎ比は、使用される増幅媒体６ａ、６ｂに添加されるエルビウムの濃度や使用される光ファイバの長さ、分配された励起光Ｌｅａ、Ｌｅｂの光強度などに依存する。したがって、光ファイバに添加するエルビウム濃度及び使用する光ファイバの長さ、励起光Ｌｅａ、Ｌｅｂの光強度を充分調整することにより、均等な増幅度の増幅媒体６ａ、６ｂを実現することができ、各波長の光信号Ｌａ、Ｌｂを均等に増幅することができる。
【００５９】
また、両波長の光信号Ｌａ、Ｌｂは、別個の増幅媒体６ａ、６ｂを通るため、いずれかの波長の光信号Ｌａ、Ｌｂが追加若しくは除去されても、他方の光信号Ｌａ、Ｌｂの増幅による影響は受けず、増幅媒体６ａ、６ｂの各々の出力は独立して安定した出力レベルを得られる。すなわち、図１に示した構成において光過渡応答特性の安定性が得られる。
【００６０】
一方の波長の光信号Ｌａ、Ｌｂが何等かの理由で突然除去された場合には、光信号Ｌａ、Ｌｂが除去された側の増幅媒体６ａ、６ｂにも依然励起光Ｌｅａ、Ｌｅｂが入力されているのでＡＳＥ（Amplified Spountaneous Emission、増幅された自然放出光）が増加し、このＡＳＥを原因とするノイズの増大が発生するが、結合された波長バンドフィルタ４ａ、合波器４ｃの各々の波長に対するアイソレーションが充分であれば、ＡＳＥの影響によるノイズの増加や互いの干渉は充分に低減される。
【００６１】
光信号Ｌａ、Ｌｂの追加若しくは除去があらかじめ分かる場合には、当然前述の分配カプラ１１に分配比を調整することにより、波長バンドフィルタ４ａ、合波器４ｃのアイソレーションに依存することなく、分配される励起光Ｌｅａ、Ｌｅｂの強度を変化させ、ＡＳＥの影響によるノイズ増加や干渉を効果的に除去することができる。
【００６２】
合波器４ｃに入力された２波の増幅された光信号は、合波器４ｃにより合波され出力される。合波器４ｃにより合波された光信号は、光ケーブルなどにより伝送されＷＤＭ３ｃに入力される。ＷＤＭ３ｃに入力された２波の増幅された光信号は分波され、分波された光信号はそれぞれ光受信器９ａ、９ｂに入力される。それぞれ分波された光信号を受信した光受信器９ａ、９ｂは、受信した光信号を増幅、復調する。
【００６３】
以上のように増幅され伝送される多重化光信号は、２波長の光信号Ｌａ、Ｌｂが、各々の光信号のための個別の増幅媒体６ａ、６ｂにより光増幅されるため、両波長の光信号において均等な光増幅ができるという優れた効果を発揮する。
【００６４】
このように各波長用の増幅媒体６ａ、６ｂにより増幅された光信号は、各々そのＳ／Ｎ比もほぼ等しく出力されるという優れた効果を発揮する。
【００６５】
また、両波長の光信号Ｌａ、Ｌｂは、別個の増幅媒体６ａ、６ｂを通るため、いずれかの波長の光信号Ｌａ、Ｌｂが追加若しくは除去されても、他方の光信号Ｌａ、Ｌｂの増幅による影響は受けず、増幅媒体６ａ、６ｂの各々の出力は独立して安定した出力レベルを得られる。
【００６６】
更に、増幅媒体６ａ、６ｂは、多重化される波長の数だけ必要になるが、部材単価の高いレーザなどを用いた励起光源１０及び励起光源１０のためのドライバ（図示しない）などを増設せずに従来同様一台の励起光源１０及びドライバで済むため、コスト上昇が極力抑えられるという効果がある。
【００６７】
また、フォトダイオード８ａ、８ｂを個別に設けることで、増幅媒体６ａ、６ｂの増幅出力を個別に精度よくモニタできるという効果がある。
【００６８】
このように、これまで示した実施の形態による光増幅器１は、２波長以上の光信号を均等に増幅できるＥＤＦＡを用いた増幅のための光モジュールであり、高安定な出力を得られる優れた効果を発揮する。
【図面の簡単な説明】
【００６９】
【図１】本発明に係る実施の形態である光増幅器及びその周辺機器を示す構成図である。
【図２】本実施の形態の光増幅器の増幅の状態を示す特性図である。
【図３】従来技術の光増幅器及びその周辺機器を示す構成図である。
【図４】従来技術の光増幅器の増幅の状態を示す特性図である。
【符号の説明】
【００７０】
１  光増幅器
２ａ、２ｂ  光送信器
３ａ、３ｃ  ＷＤＭ
４ａ  波長バンドフィルタ
４ｂ  合波器
５ａ、５ｂ  ＷＤＭ
６ａ、６ｂ  増幅媒体
７ａ、７ｂ  カプラ
８ａ、８ｂ  フォトダイオード（ＰＤ）
９ａ、９ｂ  光受信器
１０  励起光源
１１  分配カプラ
Ｌａ、Ｌｂ  光信号
Ｌｅ  励起光
Ｌｅａ、Ｌｅｂ  励起光（分配された励起光）
【図１】
2006012979.tif 000003
【図２】
2006012979.tif 000004
【図３】
2006012979.tif 000005
【図４】
2006012979.tif 000006